(57)【要約】      （修正有）【課題】磁気回路部の保持強度を十分にして信頼性の向上を図る。【解決手段】磁気駆動型アクチュエータの筐体であるサブパネル３は、外筒部３ａと内筒部３ｂとの間を各々の上端において平面により接続されている。この平面の少なくとも一部が内筒部３ｂより内側へ張り出して張出部３ｃとなっており、その端面が上部開口を形成している。内筒部３ｂ内面にスナップフィット部である突起部３ｆが形成されており、ダンパー７の外側面には突起部３ｆを逃げる側面貫通穴７ａが設けてある。トッププレート１０の側面の突起部３ｆに対応する位置には切欠部１０ａが形成されている。コイル５を組み込み後ダンパー７の側面貫通穴７ａに突起部３ｆを通し、内側にリング１６をはめて強く押し込むことによって、ダンパー７はサブパネル３の上面張出部３ｃ下面にスナップフィット方式で固定される。【選択図】図２
2006157753.tif 000002
【特許請求の範囲】
【請求項１】
外筒部と内筒部との間を各々の上端において接続している平面の少なくとも一部が、前記内筒部より内側へ張り出して張出部となっており、この張出部が上部開口を形成した筐体であるサブパネルの前記内筒部に、断面略逆Ｕ字形の環状に成形されたダンパーの外側面を固定するとともに、前記ダンパーの外側面に沿って環状のコイルを配設し、前記ダンパーの内端にはヨークとこのヨーク上に固定された磁石とこの磁石上に固定されたトッププレートとから成る磁気回路部を固定した磁気駆動型アクチュエータにおいて、前記サブパネルの前記内筒部内面に複数の突起部を設けるとともに、前記ダンパーの外側面には前記突起部との干渉を回避する側面貫通穴を設けて、前記サブパネルの前記内筒部に前記ダンパーを挿入し、前記側面貫通穴に通した前記突起部にリングをスナップフィット方式で機械的に係合させることによって前記ダンパーを固定したことを特徴とする磁気駆動型アクチュエータ。
【請求項２】
前記トッププレートの側面の前記突起部周辺のみに磁気ギャップを広げるように切欠部を設けたことを特徴とする請求項１記載の磁気駆動型アクチュエータ。
【発明の詳細な説明】
【技術分野】
【０００１】
本発明は、携帯電話等の移動体通信機器に組み込まれ、パネルを振動させることにより、着信音や拡声により着信を知らせまた、音声などの受信音の再生を目的とする磁気駆動型アクチュエータに関する。
【背景技術】
【０００２】
従来、携帯電話やＰＤＡ等の移動体通信機器などの各種電子装置の振動板であるパネルに組み込まれ、音声を出力するタイプの平面スピーカを構成する磁気駆動型アクチュエータが知られている（例えば、特許文献１参照。）。
【０００３】
従来のこの種の磁気駆動型アクチュエータの一例について図面を用いて説明する。図５は従来の磁気駆動型アクチュエータの平面図、図６は図５のＣ−Ｃ矢視断面を示す断面図、図７は従来の磁気駆動型アクチュエータの底面図、図８は図５のＤ−Ｄ矢視断面を示す断面図である。
【０００４】
まず、この磁気駆動型アクチュエータの構成を説明する。図５から図８において、５１は磁気駆動型アクチュエータである。５３は磁気駆動型アクチュエータ５１の筐体としてのサブパネルであり、外筒部５３ａと内筒部５３ｂとの間を上端で接続した平面の少なくとも一部が内筒部５３ｂより内側へ張り出して張出部５３ｃとなっており、そこへ上部開口が形成された樹脂成形品である。サブパネル５３上面には５カ所の放音孔となる凹部５３ｄが形成されている。サブパネル５３の上面の一辺は外筒部５３ａから延出して延出部５３ｅとなっている。４はサブパネル５３底面の開口部を覆っている背面メッシュである。
【０００５】
５はエナメル被覆銅線であるコイル巻き線を矩形断面を有する環状に巻回した空芯ボイスコイルである。５７は波形にくびれた略逆Ｕ字形断面を有する環状のダンパーであり、外側面は内筒部５３ｂ内面に固定され、両下端は互いに外側へ略直角に曲げられている。コイル５は内筒部５３ｂ下のダンパー５７の外周に沿って固定されている。８は磁性体から成る皿状のヨークである。９は永久磁石であり、ヨーク８の中央に固定されている。６０は中央に貫通穴６０ａを有する平板状の磁性体から成るトッププレートである。６１はヨーク８、磁石９及びトッププレート６０とで構成されている磁気回路部である。１２はダンパー５７の内端と磁気回路部６１の磁石９面とを接合している接着剤である。
【０００６】
トッププレート６０とヨーク８上端との間には磁気ギャップｇが形成されており、コイル５は磁気ギャップｇ内に位置している。１３はサブパネル５３の延出部５３ｅにインサート成形されているリードフレームであり、リードフレーム１３上にはユーザー端子１３ａ並びにコイル端末５ａを半田付けする配線パターン１３ｂが形成されている。１４はコイル端末５ａを配線パターン１３ｂに接続している半田付部である。１５はコイル端末５ａを覆っている保護コートである。
【０００７】
次に、この磁気駆動型アクチュエータ５１の作用を説明する。磁気駆動型アクチュエータ５１は両面粘着テープなどで携帯電話の液晶画面前のパネルに貼り付けてに使用される。コイル５に入力される駆動信号の周波数により、コイル５に発生する起磁力と磁石９の磁力との相互干渉作用により、コイル５と磁気回路部６１との相対変位が起きてダンパー５７が振動する。磁気回路部６１はダンパー５７によりサブパネル５３に弾性支持されているので、磁気回路部６１の振動がサブパネル５３を介してパネル２０に伝わり、又一方で磁気回路の磁気ギャップｇによって反発したコイル５の駆動力もパネル２０に伝わり、磁気駆動型アクチュエータ５１を取り付けた携帯機器等のパネル２０が共振して、例えばスピーカやレシーバ等としての音響特性を有することになる。
【特許文献１】特開２００３−１４３６９０号公報（図１、第３頁）
【発明の開示】
【発明が解決しようとする課題】
【０００８】
磁気回路部６１はダンパー５７とサブパネル５３との面接着によってサブパネル５３に保持されている。しかし、磁気回路部６１は重量も大きく、共振点付近で激しく振動するために、その保持強度は接着剤１２の塗布条件等の作業のバラツキの影響を受け易く信頼性に乏しかった。
【０００９】
本発明はこのような従来の問題を解決するためになされたものであり、その目的は、磁気回路部の保持強度を十分にして信頼性の向上を図った磁気駆動型アクチュエータを提供することである。
【課題を解決するための手段】
【００１０】
前述した目的を達成するための本発明の手段は、外筒部と内筒部との間を各々の上端において接続している平面の少なくとも一部が、前記内筒部より内側へ張り出して張出部となっており、この張出部が上部開口を形成した筐体であるサブパネルの前記内筒部に、断面略逆Ｕ字形の環状に成形されたダンパーの外側面を固定するとともに、前記ダンパーの外側面に沿って環状のコイルを配設し、前記ダンパーの内端にはヨークとこのヨーク上に固定された磁石とこの磁石上に固定されたトッププレートとから成る磁気回路部を固定した磁気駆動型アクチュエータにおいて、前記サブパネルの前記内筒部内面に複数の突起部を設けるとともに、前記ダンパーの外側面には前記突起部との干渉を回避する側面貫通穴を設けて、前記サブパネルの前記内筒部に前記ダンパーを挿入し、前記側面貫通穴に通した前記突起部にリングをスナップフィット方式で機械的に係合させることによって前記ダンパーを固定したことを特徴とする。
【００１１】
また、前記トッププレートの側面の前記突起部周辺のみに磁気ギャップを広げるように切欠部を設けたことを特徴とする。
【発明の効果】
【００１２】
本発明によれば、外筒部と内筒部との間を各々の上端において接続している平面の少なくとも一部が、前記内筒部より内側へ張り出して張出部となっており、この張出部が上部開口を形成した筐体であるサブパネルの前記内筒部に、断面略逆Ｕ字形の環状に成形されたダンパーの外側面を固定するとともに、前記ダンパーの外側面に沿って環状のコイルを配設し、前記ダンパーの内端にはヨークとこのヨーク上に固定された磁石とこの磁石上に固定されたトッププレートとから成る磁気回路部を固定した磁気駆動型アクチュエータにおいて、前記サブパネルの前記内筒部内面に複数の突起部を設けるとともに、前記ダンパーの外側面には前記突起部との干渉を回避する側面貫通穴を設けて、前記サブパネルの前記内筒部に前記ダンパーを挿入し、前記側面貫通穴に通した前記突起部にリングをスナップフィット方式で機械的に係合させることによって前記ダンパーを固定したので、磁気回路部の保持強度を向上させることができた。
【発明を実施するための最良の形態】
【００１３】
以下、本発明の実施の形態を図面に基づいて詳細に説明する。図１は本発明の最良の実施形態である磁気駆動型アクチュエータの平面図、図２は図１のＡ−Ａ矢視断面を示す断面図である。図３は図１のＢ−Ｂ矢視断面を示す断面図である。図４はサブパネルとダンパーとの分解組立図である。
【００１４】
まず、この磁気駆動型アクチュエータの構成を説明する。図１から図４において、１は磁気駆動型アクチュエータである。３は磁気駆動型アクチュエータ１の筐体である樹脂成形品であるサブパネルであり、外筒部３ａと内筒部３ｂとの間を各々の上端において接続している平面の少なくとも一部が内筒部３ｂより内側へ張り出して張出部３ｃとなっており、張出部３ｃの端面が上部開口を形成している。サブパネル３上面には上部開口と外部とを通じる空気逃げ穴となる凹部３ｄが４カ所に形成されている。凹部３ｄは後述するダンパーの振動を抑制しないように設けたものであるが、抑制が必要でない場合にはなくてもよい。サブパネル３の上面の一短辺側はフレームから延出して延出部３ｅとなっている。内筒部３ｂ内面には突出した４カ所のスナップフィット部である突起部３ｆが形成されている。
【００１５】
７は従来のダンパー５７とほぼ同様なダンパーであり、外側面にサブパネル３の突起部３ｆを逃げる側面貫通穴７ａが４カ所に設けられている。１０は従来のトッププレート６０とほぼ同様なトッププレートであり、トッププレート１０の側面にはサブパネル３の突起部３ｆに対応する位置に切欠部１０ａが形成されている。１１はヨーク８、磁石９及びトッププレート１０から成る磁気回路部である。
【００１６】
磁気駆動型アクチュエータ１の以上説明した以外の構成は、従来の磁気駆動型アクチュエータ５１のものと同様であるから同じ構成要素には同じ符号と名称とを付して詳細な説明を省略する。磁気駆動型アクチュエータ１の作用も磁気駆動型アクチュエータ５１の作用とほぼ同様である。
【００１７】
次に、ダンパー７をサブパネル３に固定する方法について図４を参照して説明する。図４において、１６はダンパー７の外側面の内側に嵌合するリングである。まず、コイル５をダンパー７の外周に固定してから、ダンパー７をサブパネル３の内筒部３ｂに内に挿入し、突起部３ｆが側面貫通穴７ａに通るようにする。次に、ダンパー７の内側にリング１６をはめて強く押し込むことによって、リング１６が突起部３ｆを乗り越えて突起部３ｆ上面に落着するようにスナップフィット方式で機械的に係合させる。このようにして、リング１６によってダンパー７はサブパネル３の上面張出部３ｃ下面に固定される。なお、以上の組み込み部材間には補強のために接着剤を使用してもよい。また、コイル５はダンパー７に対して直巻きしてもよい。
【００１８】
次に、本発明の実施の形態の効果について説明する。サブパネル３には複数（ここでは４カ所）の突起部３ｆを設け、ダンパー７の側面には突起部３ｆを回避する側面貫通穴７ａを設け、サブパネル３内面にダンパー７を介してリング１６を突起部３ｆにスナップフィット方式で機械的に係合させたので、重量の大きな磁気回路部１１が激しく振動しても十分強力な保持力を維持できるようになった。また、トッププレート１０の側面に突起部３ｆの周辺のみ磁気ギャップｇを広げることになる切欠部１０ａを設けることによって、トッププレート１０が上下に振動してスナップフィット部である突起部３ｆに干渉するのを避けることができる。磁気ギャップｇを広げる箇所を突起部３ｆの周辺のみに限定したので、磁気回路部１１の駆動力の低下を最小限に抑えることができた。
【産業上の利用可能性】
【００１９】
本発明の磁気駆動型アクチュエータは、携帯電話やＰＤＡ等の移動体通信機器及びゲーム機器等に広く適用できる。
【図面の簡単な説明】
【００２０】
【図１】本発明の実施の形態である磁気駆動型アクチュエータの平面図である。
【図２】図１のＡ−Ａ矢視断面を示す断面図である。
【図３】図１のＢ−Ｂ矢視断面を示す断面図である。
【図４】サブパネルとダンパーとの組立方法を示す分解組立図である。
【図５】従来の磁気駆動型アクチュエータの平面図である。
【図６】図５のＣ−Ｃ断面を示す断面図である。
【図７】従来の磁気駆動型アクチュエータの底面図である。
【図８】図５のＤ−Ｄ断面を示す断面図である。
【符号の説明】
【００２１】
１  磁気駆動型アクチュエータ
３  サブパネル
３ａ  外筒部
３ｂ  内筒部
３ｃ  張出部
３ｆ  突起部
５  コイル
７  ダンパー
７ａ  側面貫通穴
８  ヨーク
９  磁石
１０  トッププレート
１０ａ  切欠部
１１  磁気回路部
１６  リング
【図１】
2006157753.tif 000003
【図２】
2006157753.tif 000004
【図３】
2006157753.tif 000005
【図４】
2006157753.tif 000006
【図５】
2006157753.tif 000007
【図６】
2006157753.tif 000008
【図７】
2006157753.tif 000009
【図８】
2006157753.tif 000010